(57)【特許請求の範囲】
【請求項１】
周縁に１以上の角部を有するフランジ部を備えた真空成形型に加飾シート材を真空成形する方法であって、
クランプにより前記加飾シート材の少なくとも一部の周辺巻込み部を挟持し、同加飾シート材を加熱軟化すること、
加熱軟化した前記加飾シート材を前記成形型に配して、同加飾シート材の中央成形部を除く隅角部を第１隅角部押圧手段により上記角部の内側に向けて押圧し、前記隅角部を前記角部に巻き込むこと、
前記加飾シート材の前記中央成形部を真空吸着すると共に、同加飾シート材の前記隅角部を除く周辺巻込み部を前記フランジ部の裏面側に真空吸着により巻き込むこと、
前記周辺巻込み部を巻き込んだ状態で、更に前記加飾シート材の前記隅角部の外側に隣接する弛み部分を第２隅角部押圧手段により上記角部近傍の内側に向けて押圧し、前記弛み部分を前記角部近傍に巻き込むこと、
を含んでなることを特徴とする加飾シート材の真空成形方法。
【請求項２】
周辺巻込み部の少なくとも一部に同周辺巻込み部に平行なスリット状の切欠部を形成し、前記クランプにより前記加飾シート材の前記切欠部を有する周辺巻込み部を挟持し、真空吸引により前記切欠部の内側周辺巻込み部を前記フランジ部の裏面側に巻き込むことを含んでなることを特徴とする請求項１記載の加飾シート材の真空成形方法。
【請求項３】
前記切欠部を２以上形成し、その切欠部間の連結部を、前記切欠部の内側周辺巻込み部を前記フランジ部の裏面側に巻き込む真空成形時に、自動的に破断することを含んでなることを特徴とする請求項２記載の加飾シート材の真空成形方法。
【請求項４】
前記第１隅角部押圧手段に、前記加飾シート材の前記隅角部を押圧するシート材押圧面を有すると共に、上記真空成形型のフランジ部の裏面側の角部の近傍に形成された内方に窪むシート材押込み凹部に、前記加飾シート材の隅角部を押し込む楔状突部を有する押圧プラグを用い、
前記加飾シート材の隅角部に隣接する弛み部分を前記押圧プラグの前記楔状突部により前記真空成形型の前記シート材押込み凹部に押し込み、前記加飾シート材の前記周辺巻込み部を前記フランジ部の裏面側に巻き込む真空成形時に、前記弛み部分の一部を前記シート材押込み凹部の近傍に発生させるように制御することを含んでなることを特徴とする請求項１〜３記載の加飾シート材の真空成形方法。
【請求項５】
前記第２隅角部押圧手段に、前記真空成形型の前記シート材押込み凹部に嵌着する楔状突部を有する押圧プラグを用い、前記加飾シート材の露呈する一部の弛み部分を押し潰し、
前記加飾シート材の前記周辺巻込み部の全ての弛み部分を前記真空成形型の前記シート材押込み凹部内に沿って巻き込むことを
含んでなることを特徴とする請求項４記載の加飾シート材の真空成形方法。
【発明の詳細な説明】
【０００１】
【産業上の技術分野】
本発明は加飾シート材の真空成形方法に係わり、更に詳しくは、合成樹脂成形品に対応する成形面を有する真空成形型に加飾シート材の隅角部を弛みなく巻き込むことを可能にした加飾シート材の真空成形方法に関する。
【０００２】
【従来の技術】
従来、例えば自動車の内装部品の製造に際して、合成樹脂材で成形した成形品に装飾を目的として、同成形品に加飾シート材が添設されている。通常は、この樹脂材には、木目調や皮革調の樹脂シート、発泡樹脂材を一体化した樹脂シートや、布、不織布などが添設されている。この加飾シート材と合成樹脂材を成形した成形品とを接合して、最終製品としての良好な外観意匠性を有する内装部品が得られる。
【０００３】
この種の樹脂材の加飾シート材の成形方法の一例が、例えば特開平６−１９８７２８号公報に開示されている。同公報に開示された成形方法によれば、発泡樹脂材を樹脂シートに一体化した加飾シート材を使用して、中央寄りが相対的に高く隆起された曲面形状の真空成形型を、熱軟化された加飾シート材に接近させ、同加飾シート材をクランプにより引張した状態で中央寄りの高位の隆起部から周囲の相対的に低位の隆起部に掛け渡して接触させることにより真空成形を行っている。
【０００４】
この真空成形時に、前記加飾シート材を前記真空成形型の中央寄り成形面に接触させると共に、前記クランプを前記真空成形型の側部に徐々に接近させ、前記クランプの接近に伴って前記真空成形型を加飾シート材に向けて移動させることにより、その加飾シート材の中央寄り成形面から側部寄り成形面までが引張力を緩和された状態で前記真空成形型の型面に概ね沿わされ、このとき、真空吸引して同真空成形型の型面形状に沿った加飾シート材を形成している。そのため、発泡層の肉厚変化による加飾シート材の膨出変化を防ぐことができ、全体に均一な厚みを有する深絞り成形可能な加飾シート材を確実に成形することができるというものである。
【０００５】
また、例えば特開平９−４８０６７号公報には、発泡樹脂材からなる中間層の表面側に所定伸び率の樹脂材料からなる表皮層を、裏面側に表皮層より伸び率の低い樹脂材料からなるバリア層を有する三層樹脂シートである加飾シート材、及びその加飾シート材の真空成形方法が開示されている。同公報に開示された加飾シート材は、同加飾シート材の周辺巻込み部の予定された切断位置より外側の位置で、前記バリア層及び前記中間層に予定された前記切断位置の長さ方向と略平行に延びる断面略三角形をなす４本のスリットを形成している。
【０００６】
この加飾シート材を用いて真空成形する際には、先ず、前記加飾シート材全体を予備加熱して塑性変形可能な状態に軟化したのち、同加飾シート材を真空成形型の上方から被せて加飾シート材挟持用のプラグにより真空成形型に対してクランプし、気密に封止する。次に、同真空成形型の表面に連通する多数の吸引孔を介して、前記加飾シート材を真空成形型に対して真空吸着することにより、前記真空成形型の上下両端のコーナ部及び同下端のコーナ部から内方に窪む凹部に対応する第１〜第３の曲げ部を有する型形状と合致した所定形状の加飾シート材が賦形される。その後、その加飾シート材を冷却したのち、同加飾シート材の余剰な周辺巻込み部を切断してトリミングする。
【０００７】
この従来の真空成形方法によれば、加飾シート材は、その第３曲げ部よりも前記加飾シート材挟持用プラグ側の所定位置にスリットを形成しているため、真空吸着時において、加飾シート材の前記第３曲げ部に応力が集中しても、同第３曲げ部は引張方向に断裂して加飾シート材の伸長方向に移動する。従って、同加飾シート材の第３曲げ部より第２曲げ部では、中間層が過度に伸長して薄肉となり、ソフト感を喪失するようなことはないと共に、バリア層の断裂が加飾シート材の中央成形部に至り、加飾シート材の外観を損なうおそれもないとしている。
【０００８】
また、加飾シート材の前記第３曲げ部の表面層は伸び率の高い樹脂材料からなるため、引張力により断裂して中央成形部に影響を及ぼすことなく、加飾シート材は、前記スリットの内側部分の位置が中間層の伸長した分だけ内方へずれた位置となる。従って、加飾シート材の前記第２曲げ部近傍の肉厚が減少したり、その表面層に断裂が生じる等の不具合を防止することができる。
【０００９】
【発明が解決しようとする課題】
ところで、上記特開平６−１９８７２８号公報に開示された加飾シート材の真空成形方法では、上述したような作用効果を得るため、真空成形時に、加飾シート材の周辺巻込み部を挟持するクランプを真空成形型の側部に徐々に接近させ、前記クランプの接近に伴って真空成形型を加飾シート材に向けて移動している。
【００１０】
一方、上記特開平９−４８０６７号公報に開示された加飾シート材の真空成形方法は、加飾シート材の周辺巻込み部の所定位置にスリットを形成しているため、真空吸着時において、加飾シート材の周辺巻込み部に応力が集中しても、加飾シート材の周辺巻込み部が引張方向に断裂して加飾シート材の伸長方向に移動している。
【００１１】
しかしながら、前述の各公報では、加飾シート材の中央成形部や略直線状をなす緩やかな周辺巻込み部に対しては、局部的な薄肉化や破損等の発生を防止することはできるものの、真空吸着時に真空成形型の裏面側に巻き込まれた加飾シート材の周辺巻込み部が、互いに真空成形型の裏面側の複数の角部に向けて大きく伸長して拡がる。その結果、前記真空成形型の複数の角部に対応する加飾シート材の隅角部が外部に膨出して浮き上がり、外観上の見栄えを損ねるという問題点がある。これらの公報に開示された加飾シート材の真空成形方法は、加飾シート材の隅角部に生じた弛みを除去するという技術的課題に関して何ら着目も言及もされていない。
【００１２】
本発明は、上記従来の課題を解消すべくなされたものであり、その具体的な目的は、樹脂フィルム、布、不織布などの多様な加飾シート材の隅角部を弛みなく美麗に賦形することを可能にした加飾シート材の真空成形方法を提供することにある。
【００１３】
【課題を解決するための手段及び作用効果】
本件請求項１に係る発明は、周縁に１以上の角部を有するフランジ部を備えた真空成形型に加飾シート材を真空成形する方法であって、クランプにより前記加飾シート材の少なくとも一部の周辺巻込み部を挟持し、同加飾シート材を加熱軟化すること、加熱軟化した前記加飾シート材を前記成形型に配して、同加飾シート材の中央成形部を除く隅角部を第１隅角部押圧手段により上記角部の内側に向けて押圧し、前記隅角部を前記角部に巻き込むこと、前記加飾シート材の前記中央成形部を真空吸着すると共に、同加飾シート材の前記隅角部を除く周辺巻込み部を前記フランジ部の裏面側に真空吸着により巻き込むこと、前記周辺巻込み部を巻き込んだ状態で、前記加飾シート材の前記隅角部の外側に隣接する弛み部分を第２隅角部押圧手段により上記角部近傍の内側に向けて押圧し、前記弛み部分を前記角部近傍に巻き込むことを含んでなることを特徴とする加飾シート材の真空成形方法にある。
【００１４】
上記方法によれば、加熱軟化した加飾シート材の隅角部を第１隅角部押圧手段により、周縁に１以上の角部を有するフランジ部を備えた真空成形型の前記角部の内側に向けて押圧し、その角部に加飾シート材の前記隅角部をしわの生じないように巻き込む。この隅角部を巻き込んだ状態で、真空成形型に加飾シート材の中央成形部を真空吸引する。次いで、同加飾シート材の隅角部を除く周辺巻込み部を前記フランジ部の裏面側に吸着して巻き込むと同時に、又は巻き込んだ状態で第２隅角部押圧手段により前記加飾シート材の前記隅角部の外側に隣接して発生する弛み部分を真空成形型の前記角部に隣接する部位を内側に向けて押圧して巻き込む。
【００１５】
このように２段階で加飾シート材の隅角部とその隣接部分を真空成形型の前記角部とその近傍の内側に吸着して巻き込むため、加飾シート材の隅角部が、加飾シート材の軟化、収縮性に基づいて均一に伸び、しわのない平坦状に成形されると共に、加飾シート材の隅角部を除く周辺巻込み部を吸着して巻き込むときに生じる浮き上がった局部的な弛み部分をも、平坦状に押し潰して真空成形型の前記角部近傍の裏面側に密着されて成形することができる。
【００１６】
こうして、加飾シート材の賦形時に生じる弛みを確実に除去することができると共に、肉厚が略均一な綺麗な加飾シート材を得ることができる。また、得られた加飾シート材は、局部的に弛みができたりすることなく合成樹脂材で成形した成形品と接合して最終製品としての外観意匠的にも優れたものとなる。なお、前記加飾シート材は、予め合成樹脂材で成形した成形品に貼着する場合と、射出によるインサート成形にて成形品に一体化する場合とがある。
【００１７】
請求項２に係る発明は、周辺巻込み部の少なくとも一部に同周辺巻込み部に平行なスリット状の切欠部を形成し、前記クランプにより前記加飾シート材の前記切欠部を有する周辺巻込み部を挟持し、真空吸引により前記切欠部の内側周辺巻込み部を前記フランジ部の裏面側に巻き込むことを特徴としている。
【００１８】
加飾シート材の隅角部は緊張した状態で引っ張っておくことが好ましく、また、加飾シート材の隅角部以外の周辺巻込み部は巻き込みやすくしておくことが好ましい。
【００１９】
この加飾シート材の真空成形方法は、周辺巻込み部の少なくとも一部に周辺巻込み部に略平行なスリット状の切欠部を形成し、その成形時にクランプにより加飾シート材の切欠部の外側の周辺巻込み部を挟持しておく。このため、成形開始前には加飾シート材を緊張状態でしっかりと固定することができ、成形が開始されると、切欠部内側の周辺巻込み部に自由度があるため、真空吸引により加飾シート材の隅角部を除く切欠部内側の前記周辺巻込み部を真空成形型のフランジ部の裏面側に自由に巻き込むことが可能となり、加飾シート材の周辺巻込み部の厚さを局部的に減少させたり、同加飾シート材の中央成形部に裂断が生じたりすることを未然に阻止することが可能となる。従って、加飾シート材を一層容易に確実に且つ綺麗に賦形することができる。
【００２０】
請求項３に係る発明は、前記切欠部を２以上形成し、その切欠部間の連結部を、前記切欠部の内側周辺巻込み部を前記フランジ部の裏面側に巻き込む真空成形時に、自動的に破断することを特徴としている。
【００２１】
真空成形型に加飾シート材を配するとき、同加飾シート材の周辺巻込み部とクランプとの間で前記真空成形型の外周縁部に気密に接合されることが好ましく、前記加飾シート材の切欠部を浮かさずに正確にセットすることが好ましい。
【００２２】
この真空成形方法は、切欠部の中間部に内外周辺巻込み部を連結する破断可能な連結部を形成し、クランプにより加飾シート材の外側周辺巻込み部を把持しているため、特に真空成形型のセット時から真空吸引の初期であって前記連結部が破断されるまでは、前記連結部と周辺巻込み部との連結により加飾シート材の周辺巻込み部に良好な保形性を確保され、真空成形型と加飾シート材との間に形成される吸引空間の気密性が保持されており、加飾シート材が真空吸引されるときの緊張力により前記連結部が破断されると、前記切欠部の内側周辺巻込み部に自由度が与えられ、円滑な変形をもたらすことが可能となる。
【００２３】
請求項４に係る発明は、前記第１隅角部押圧手段に、前記加飾シート材の前記隅角部を押圧するシート材押圧面を有すると共に、上記真空成形型のフランジ部の裏面側の角部の近傍に形成された内方に窪むシート材押込み凹部に、前記加飾シート材の隅角部を押し込む楔状突部を有する押圧プラグを用い、前記加飾シート材の隅角部に隣接する弛み部分を前記押圧プラグの前記楔状突部により前記真空成形型の前記シート材押込み凹部に押し込み、前記加飾シート材の前記周辺巻込み部を前記フランジ部の裏面側に巻き込む真空成形時に、前記弛み部分の一部を前記シート材押込み凹部の近傍に発生させるように制御することを特徴としている。
【００２４】
この加飾シート材の真空成形方法によれば、前記押圧プラグの楔状突部により、加飾シート材の前記隅角部に隣接する弛み部分を真空成形型の前記シート材押込み凹部に押し込むため、前記周辺巻込み部を真空成形型の前記フランジ部の裏面側に巻き込む真空成形時に、前記弛み部分の一部を前記シート材押込み凹部の近傍に発生するように制御することができると共に、前記周辺巻込み部を真空成形型の前記フランジ部の裏面側に巻き込む真空成形時に大きく伸長して拡がる加飾シート材の弛み部分を前記シート材押込み凹部内に向けて寄せ集めることができる。
【００２５】
請求項５に係る発明は、前記第２隅角部押圧手段に、前記真空成形型の前記シート材押込み凹部に嵌着する楔状突部を有する押圧プラグを用い、前記加飾シート材の露呈する一部の弛み部分を押し潰し、前記加飾シート材の前記周辺巻込み部の全ての弛み部分を前記真空成形型の前記シート材押込み凹部内に沿って巻き込むことを特徴としている。
【００２６】
真空成形前に、上記第１隅角部押圧手段である押圧プラグを用い、予め加飾シート材の前記隅角部を真空成形型におけるフランジ部の角部の内側に向けて押圧して巻き込むことにより、成形品の角部にしわが生じないが、次いで行われる加飾シート材の真空吸着により、加飾シート材の前記隅角部を除く周辺巻き込み部を真空成形型の前記フランジ部の裏面側に巻き込むとき、前記押圧プラグの楔状突部で押圧されている両側の周辺巻き込み部分に局部的な弛みが生じる。
【００２７】
その加飾シート材の局部的な弛み部分を、前記第２隅角部押圧手段である押圧プラグの楔状突部により真空成形型の前記シート材押込み凹部内に押しやって、前記加飾シート材の露呈する一部の弛み部分を前記シート材押込み凹部内に沿って押し潰して巻き込むことにより、前記局部的な弛み部分をも加飾シート材の表面から取り除くことができるようになる。
【００２８】
【発明の実施の形態】
以下、本発明の好適な実施の形態を添付図面に基づいて具体的に説明する。なお、本実施形態では、加飾シート材が合成樹脂材を成形した成形品と接合した最終製品として、自動車のグローブボックスリッドを例に挙げて説明するが、本発明はこれに限定されるものではなく、例えば自動車のコンソールリッド、ピラーガーニッシュ、リヤラゲージトリム、ドアトリムや天井部材、或いは一般的な居住空間におけるシートバックなどにも適用される。
【００２９】
図１は本発明の代表的な実施形態である加飾シート材Ｓを真空成形により製造するための製造装置の概略図であり、図２は同製造装置を部分的に示す概略図である。
【００３０】
これらの図において、符号１は真空成形型であり、同真空成形型１は雄型形式を採用している。この真空成形型１は、平板部１ａ及び同平板部１ａから上方に突設されたフランジ部１ｂを有しており、同フランジ部１ｂと平板部１ａとの間に内方に窪む環状凹部１ｃを形成している。前記フランジ部１ｂは、周縁に４つの角部１ｄ，…，１ｄを有しており、同フランジ部１ｂの上部には、加飾シート材Ｓの中央成形部Ｓ１と接合する成形面１ｅが形成されている。その成形面１ｅ及び前記環状凹部１ｃには、複数の微小な真空吸引孔１ｆ，…，１ｆが所定部位に穿設されている。
【００３１】
図２に示すように、真空成形型１の前記環状凹部１ｃの角部の両側周辺部には、内方に窪む略Ｖ字形をなすシート材押込み凹部１ｇ，１ｇがそれぞれ形成されている。このシート材押込み凹部１ｇは、加飾シート材Ｓの真空成形時に、大きく伸長して拡がる加飾シート材Ｓの浮き上がった弛み部分Ｓ７の全てを真空成形型１の前記フランジ部１ｂの裏面側に逃がすためのものである。
【００３２】
前記真空成形型１の上方には、上下動自在の可動型に支持された支持体２が備えられている。この支持体２の４つの角部には、加飾シート材Ｓの第１隅角部押圧手段であるシート材賦形用の押圧プラグ３が、水平移動自在に設けられると共に、その支持体２の角部を除く４つの周辺部には、押圧プラグ３と同一水平面上にあって、加飾シート材Ｓの第２隅角部押圧手段であるシート材賦形用押圧プラグ４が水平移動自在に設けられている。
【００３３】
各押圧プラグ３，４は、真空成形型１の前記環状凹部１ｃに対応する押圧面を有しており、その押圧面の両側端縁には、前方に突出する楔状突部３ａ，４ａがそれぞれ突設されている。これらの楔状突部３ａ，４ａは、互いに接合した状態で真空成形型１の前記シート材押込み凹部１ｇの形状に合致する略三角柱半割り形の楔型をなしており、前記シート材押込み凹部１ｇに嵌着されるようになっている。
【００３４】
前記押圧プラグ３の楔状突部３ａは、真空成形前に加飾シート材Ｓの隅角部Ｓ３〜Ｓ６を前記シート材押込み凹部１ｇに押し込むためのもので、その隅角部Ｓ３〜Ｓ６に隣接する弛み部分Ｓ７を押圧プラグ３の楔状突部３ａにより前記シート材押込み凹部１ｇに押し込むと共に、真空成形時に、前記弛み部分Ｓ７の一部を前記シート材押込み凹部１ｇの近傍に露呈するように制御する。一方の前記押圧プラグ４の楔状突部４ａは、真空成形時に、前記シート材押込み凹部１ｇ内に浮き上がった弛み部分Ｓ７を押し潰すと共に、前記周辺巻込み部Ｓ２の全ての弛み部分Ｓ７を前記シート材押込み凹部１ｇ内に沿って巻き込むものである。
【００３５】
図７に示すごとく押圧プラグ３，４は、前記支持体２の支持枠２ａに固設されたシリンダ５のロッド端に連結部材を介して支持されており、真空成形型１の前記環状凹部１ｃ内に水平に挿脱される。このように構成された押圧プラグ３，４は前記支持体２と独立して駆動されるため、単にシリンダ５により水平方向に駆動するだけでよく、駆動機構が単純になる。
【００３６】
本実施形態にあっては、前記支持体２が、真空成形型１に対して上下方向に移動することにより開閉がなされる。図示せぬ駆動手段により駆動される長尺体をなす４個のシート材挟持用クランプ６，…，６は、真空成形型１と支持体２との間の水平面上に並設されており、更には、図示を省略したシート材加熱用の面ヒータと、同じく図示せぬシート材供給部とが備えられている。図示例によれば、前記クランプ６は、加飾シート材Ｓの４つの隅角部Ｓ３〜Ｓ６を含む周辺巻込み部Ｓ２を挟持して真空成形型１と支持体２との間に移動するようになっている。
【００３７】
なお、以上のごとく構成された製造装置７は、これに限定されるものではなく、前記シート材供給部を設けることなく、例えば手動で加飾シート材Ｓを供給することも可能であり、シート材挟持用クランプ６を真空成形型１に退避自在に固設して加飾シート材Ｓの周辺巻込み部Ｓ２を挟持することも可能である。また、可動型及び固定型を型合わせすることにより加飾シート材Ｓの真空成形を実施することもできる。
【００３８】
本発明の加飾シート材Ｓの真空成形方法は、上記製造装置７を使って実施される。図３〜図８は、その代表的な方法を示している。以下、上記製造装置７を使用して、図９に示すグローブボックスリッド８に加飾を施すための加飾シート材Ｓを真空成形する方法について図３〜図８を参照して説明する。
【００３９】
図３〜図５は、加飾シート材Ｓを真空成形する工程の一例を示す部分斜視図であり、図６〜図８は、同工程を示す部分断面図であり、図６（ａ）〜図８（ａ）は、図３のＡ−Ａ線断面側の真空成形型１に対する真空成形工程を示しており、図６（ｂ）〜図８（ｂ）は、図３のＢ−Ｂ線断面側の真空成形型１に対する真空成形工程を表している。
【００４０】
図９に示す本発明の適用対象となるグローブボックスリッド８は、例えばポリプロピレンなどの合成樹脂材からなり、その表面には、加飾シート材Ｓとしてポリオレフィンなどの熱可塑性樹脂材の裏面に積層した発泡ポリプロピレン又は発泡ポリエチレンなどが一体に添設されている。加飾シート材Ｓとしては、加熱時に伸長可能なものが適当であり、例えば織編物、不織布、ＰＶＣシートにポリプロピレン、ポリエチレン、ＴＰＯ、ＡＢＳ、ＰＣ、ＴＰＥ等のバッキング材を施したものなどが適用される。
【００４１】
加飾シート材Ｓを真空成形するには、先ず、真空成形型１と支持体２とを開き、図示せぬシート材供給部から加飾シート材Ｓを供給し、４個のクランプ６，…，６により加飾シート材Ｓの４つの隅角部Ｓ３〜Ｓ６を含む周辺巻込み部Ｓ２を挟持する。その状態で、図示せぬ面ヒータにより加飾シート材Ｓを加熱して軟化させたのち、加熱軟化した加飾シート材Ｓを前記クランプ６により真空成形型１と支持体２との間に水平移動させる。そののち、図示せぬシート材供給部や面ヒータを退避させる。ここで、真空成形型１と支持体２との間にクランプ６に挟持された加飾シート材Ｓを配したのち、図示せぬ面ヒータにより加飾シート材Ｓを加熱軟化させることもできる。
【００４２】
加飾シート材Ｓを加熱軟化させたのち、図３及び図６に示すように、加熱軟化した加飾シート材Ｓを真空成形型１の成形面１ｅの上方から気密に接合する。それと同時に、支持体２を真空成形型１に対して下降させる。このとき、加飾シート材Ｓに対して真空成形型１を移動させることもできる。加飾シート材Ｓの周辺巻込み部Ｓ２の厚さは、クランプ６により緊張状態にあるため、若干薄くなっている。この状態で、加飾シート材Ｓと真空成形型１の環状凹部１ｃとの間に環状の密閉空間が形成される。
【００４３】
次に、シリンダ５を伸長して水平方向に駆動させることにより、環状の前記密閉空間を介して真空成形型１におけるフランジ部１ｂの角部１ｄの内側に向けて押圧プラグ３を水平移動させる。図４及び図７（ｂ）に示すように、押圧プラグ３の押圧面により、加飾シート材Ｓの中央成形部Ｓ１を除く隅角部Ｓ３〜Ｓ６を緊張力に抗するように押圧して前記フランジ部１ｂの角部１ｄの内側に巻き込み、加飾シート材Ｓの隅角部Ｓ３〜Ｓ６を真空成形型１の環状凹部１ｃの角部に密接させる。それと同時に、押圧プラグ３の楔状突部３ａで、前記環状凹部１ｃの角部に隣接するシート材押込み凹部１ｇ内に向けて加飾シート材Ｓの周辺巻込み部Ｓ２の一部分を引っ張って押し込む。これにより、加飾シート材Ｓの隅角部Ｓ３〜Ｓ６に隣接する弛み部分Ｓ７の一部を前記シート材押込み凹部１ｇの近傍に露呈するように制御することができる。
【００４４】
続いて、図示せぬ吸引ポンプを介して真空成形型１の真空吸引孔１ｆから真空吸引することにより、加飾シート材Ｓの中央成形部Ｓ１を真空吸着すると共に、加飾シート材Ｓの隅角部Ｓ３〜Ｓ６を除く周辺巻込み部Ｓ２を緊張力に抗するように真空成形型１のフランジ部１ｂの裏面側に真空吸着により巻き込む。加飾シート材Ｓの周辺巻込み部Ｓ２は、真空成形型１の環状凹部１ｃの４つの角部に向けて大きく伸長して拡がる。図４及び図７（ａ）に示すごとく大きく伸長して拡がる加飾シート材Ｓの弛み部分Ｓ７は、前記シート材押込み凹部１ｇ内に向けて寄せ集まり、加飾シート材Ｓが外部に局部的に膨出して、加飾シート材Ｓの弛み部分Ｓ７が浮き上がる。
【００４５】
このとき、前記周辺巻込み部Ｓ２を巻き込むとき同時に、又は巻き込んだ状態で、前記シリンダ５を伸長させて水平方向に駆動させ、押圧プラグ４を加飾シート材Ｓの周辺巻込み部Ｓ２と真空成形型１の環状凹部１ｃとの間の環状の密閉空間を介して真空成形型１のフランジ部１ｂの裏面側に向けて移動させる。図５及び図８（ａ）に示すように、押圧プラグ４の楔状突部４ａで、浮き上がった加飾シート材Ｓの弛み部分Ｓ７を前記環状凹部１ｃの角部に隣接するシート材押込み凹部１ｇ内に沿って押し潰しながら、真空成形型１のフランジ部１ｂの裏面側に巻き込む。これにより、押圧プラグ４の楔状突部４ａがシート材押込み凹部１ｇ内に嵌着して、前記加飾シート材Ｓが真空成形型１の成形面１ｅに沿った形状に賦形される。加飾シート材Ｓの周辺巻込み部Ｓ２の厚さは変化せず、しかも真空成形型１のフランジ部１ｂの裏面側に容易に巻き込まれて密着するため、アンダー形状部の成形が綺麗に確実になされる。
【００４６】
そして、図示せぬ吸引ポンプを停止し、前記押圧プラグ３，４を退避し、型開したのち、クランプ６の挟持を解除して賦形された加飾シート材Ｓを真空成形型１から取外す。その後、加飾シート材Ｓの隅角部Ｓ３〜Ｓ６を含む余分な周辺巻込み部Ｓ２を切断してトリミングする。
【００４７】
このように、加飾シート材Ｓの隅角部Ｓ３〜Ｓ６の近傍に生じる浮き上がった局部的な弛み部分Ｓ７が、加飾シート材Ｓの軟化、収縮性に基づいて均一に伸び、平坦状に変形されると共に、加飾シート材Ｓの隅角部Ｓ３〜Ｓ６に生じる浮き上がった局部的な弛み部分Ｓ７が平坦状に押し潰されて真空成形型１の角部の裏面側に沿って密着され、真空成形型１の成形面１ｅに沿って吸着される。このため、加飾シート材Ｓの賦形時に生じる弛み部分Ｓ７を確実に除去することができると共に、肉厚が略均一な綺麗な加飾シート材Ｓを効果的に得ることができる。
【００４８】
また、得られた加飾シート材Ｓは、局部的に弛みがよったりすることなく前記グローブボックスリッド８に貼着され、最終製品としての外観意匠に優れたものとなる。なお、本実施形態では加飾シート材Ｓを予め合成樹脂材で成形した成形品に貼着するものであるが、本発明はこれに限定されるものではなく、射出によるインサート成形により成形品と一体化することも可能である。
【００４９】
図１０〜図１２は、上記実施形態における加飾シート材Ｓ及びクランプ６の変形例をそれぞれ示している。上記第１実施形態では、加飾シート材Ｓの４つの隅角部Ｓ３〜Ｓ６を含む周辺巻込み部Ｓ２を４個の長尺状のクランプ６，…，６にて挟持した構成であったものを、この変形例では、周辺巻込み部Ｓ２の少なくとも一部をクランプ６にて挟持している。更に、他の変形例として、周辺巻込み部Ｓ２の少なくとも一周縁部に略平行なスリット状の切欠部Ｓ８を形成し、加飾シート材Ｓの切欠部Ｓ８を有する周辺巻込み部Ｓ２の一部分をクランプ６により挟持している。なお、これらの図において上記実施形態と実質的に同じ部材には同一の符号と部材名を付している。従って、これらの部材に関する詳細な説明は省略する。
【００５０】
図１０において、加飾シート材Ｓの４つの隅角部Ｓ３〜Ｓ６を４個の短尺状のクランプ６，…，６にて挟持している。この第１変形例によれば、加飾シート材Ｓの真空吸着時に、加飾シート材Ｓの隅角部Ｓ３〜Ｓ６を除く周辺巻込み部Ｓ２を真空成形型１のフランジ部１ｂの裏面側に拘束されることなく自由に巻き込むことが可能となり、加飾シート材Ｓの中央成形部Ｓ１及び周辺巻込み部Ｓ２が綺麗に賦形できる。
【００５１】
第２変形例にあっては、図１１に示すように、周辺巻込み部Ｓ２の対向する２辺には、周辺巻込み部Ｓ２の周縁部に略平行なスリット状の切欠部Ｓ８がそれぞれ形成されている。その切欠部Ｓ８は、加飾シート材Ｓの内側周辺巻込み部Ｓ２を真空成形型１のフランジ部１ｂの裏面側に自由に巻き込むためのものである。
【００５２】
真空成形時に、加飾シート材Ｓの加熱時間が長いと、加飾シート材Ｓの発泡層の縮みによって内側に向かうカール現象が発生しやすいため、賦形された加飾シート材Ｓの周辺巻込み部Ｓ２の外観品質が低下する場合がある。この第２変形例では、前記切欠部Ｓ８の中間部に、同切欠部Ｓ８を挟んだ内外周辺巻込み部Ｓ２を破断可能な連結部Ｓ９をもって連結している。前記切欠部Ｓ８の周辺巻込み部Ｓ２の外端縁を長尺状のクランプ６により挟持して、内側周辺巻込み部Ｓ２を真空成形型１のフランジ部１ｂの裏面側に巻き込む真空成形時に、前記連結部Ｓ９が自動的に破断されるようになっている。なお、１つの切欠部Ｓ８に複数の連結部Ｓ９を形成することも可能である。
【００５３】
この第２変形例における加飾シート材Ｓの真空成形方法は、真空成形型１のセット時から真空吸引の初期であって、前記連結部Ｓ９が自動的に破断されるまでは、その連結部Ｓ９と周辺巻込み部Ｓ２との連結により、加飾シート材Ｓの周辺巻込み部Ｓ２に良好な保形性を確保し、真空成形型１と加飾シート材Ｓとの間に形成される密閉空間の気密性を十分に保持している。加飾シート材Ｓが真空吸引されるときの緊張力により、前記連結部Ｓ９が自動的に破断されると、前記切欠部Ｓ８の内側周辺巻込み部Ｓ２に自由度が与えられ、加飾シート材Ｓは円滑に変形される。以降は、上記第１実施形態と同様に、加飾シート材Ｓが効果的に賦形される。
【００５４】
上記第２変形例によれば、真空吸引により加飾シート材Ｓの隅角部Ｓ３〜Ｓ６を除く内側周辺巻込み部Ｓ２を真空成形型１のフランジ部１ｂの裏面側に拘束されることなく真空吸着して自由に巻き込むことが可能となり、しかも、加飾シート材Ｓの周辺巻込み部Ｓ２の厚さが局部的に減少したり、加飾シート材Ｓの中央成形部Ｓ１に断裂が生じたりすることを未然に防止することが可能である。従って、加飾シート材Ｓの中央成形部Ｓ１及び周辺巻込み部Ｓ２を一層綺麗に賦形することができる。
【００５５】
また、上記第２変形例によれば、２個の長尺状のクランプ６により加飾シート材Ｓの周辺巻込み部Ｓ２の２辺をそれぞれ挟持すれば足りるため、加飾シート材Ｓを挟持するクランプ数を減らすことが可能となり、多種類の加飾シート材Ｓを賦形する場合にも、クランプ６のみを変更すればよく、廉価に対処することが可能である。なお、上記第２変形例にあっては、加飾シート材Ｓの周辺巻込み部Ｓ２の一辺に２つの独立した切欠部Ｓ８を形成しているが、本発明はこれに限定されるものではなく、加飾シート材Ｓの周辺巻込み部Ｓ２の所定の一辺にわたって単一の切欠部Ｓ８を形成してもよい。
【００５６】
また、加飾シート材Ｓの全周にわたって前記切欠部Ｓ８を形成することも可能である。この場合には、図１２に示すごとく加飾シート材Ｓの隅角部Ｓ３〜Ｓ６を除く４辺に周辺巻込み部Ｓ２の周縁部と略平行なスリット状の切欠部Ｓ８をそれぞれ形成している。
【００５７】
この第３変形例における加飾シート材Ｓの真空成形方法にあっては、図１２に示すように長尺状をなす４個のクランプ６，…，６により、上記第２変形例と同様に前記切欠部Ｓ８の外側周辺巻込み部Ｓ２を挟持し、真空吸引時に、前記切欠部Ｓ８の内側周辺巻込み部Ｓ２を真空成形型１の裏面側に吸着して巻き込む。これにより、４辺の前記切欠部Ｓ８の内側周辺巻込み部Ｓ２に自由度を与え、円滑な変形をもたらして加飾シート材Ｓの中央成形部Ｓ１及び周辺巻込み部Ｓ２が効果的に賦形される。
【００５８】
また、上記第３変形例における４個のクランプ６，…，６の四隅部に、上記押圧プラグ３，４を真空成形型１のフランジ部１ｂの隅角部１ｄの下面に向けて進退可能に一体に設けることもでき、この場合には、クランプ６と押圧プラグ３，４とが一体化できるため、可動型である支持体２を使用する必要がなくなり、装置自体のコンパクト化を達成することができる。
【図面の簡単な説明】
【図１】本発明の代表的な実施形態である加飾シート材を真空成形により製造するための製造装置の概略図である。
【図２】同製造装置を部分的に示す概略図である。
【図３】加飾シート材を真空成形する工程を示す部分斜視図である。
【図４】図３の次の工程を示す部分斜視図である。
【図５】図４の次の工程を示す部分斜視図である。
【図６】加飾シート材を真空成形する工程を示す部分断面図である。
【図７】図６の次の工程を示す部分断面図である。
【図８】図７の次の工程を示す部分断面図である。
【図９】本発明の適用対象となる成形品の斜視図である。
【図１０】同加飾シート材及びクランプの第１変形例を示す斜視図である。
【図１１】同加飾シート材及びクランプの第２変形例を示す斜視図である。
【図１２】同加飾シート材及びクランプの第３変形例を示す斜視図である。
【符号の説明】
１            真空成形型
１ａ          平板部
１ｂ          フランジ部
１ｃ          環状凹部
１ｄ          角部
１ｅ          成形面
１ｆ          真空吸引孔
１ｇ          シート材押込み凹部
２            支持体
２ａ          支持枠
３，４        押圧プラグ
３ａ，４ａ    楔状突部
５            シリンダ
６            クランプ
７            製造装置
８            グローブボックスリッド
Ｓ            加飾シート材
Ｓ１          中央成形部
Ｓ２          周辺巻込み部
Ｓ３〜Ｓ６    隅角部
Ｓ７          弛み部分
Ｓ８          切欠部
Ｓ９          連結部
【図１】
0003606803.tif 000002
【図２】
0003606803.tif 000003
【図３】
0003606803.tif 000004
【図４】
0003606803.tif 000005
【図５】
0003606803.tif 000006
【図６】
0003606803.tif 000007
【図７】
0003606803.tif 000008
【図８】
0003606803.tif 000009
【図９】
0003606803.tif 000010
【図１０】
0003606803.tif 000011
【図１１】
0003606803.tif 000012
【図１２】
0003606803.tif 000013